【手続補正書】
【提出日】平成22年3月12日(2010.3.12)
【手続補正１】
【補正対象書類名】特許請求の範囲
【補正対象項目名】全文
【補正方法】変更
【補正の内容】
【特許請求の範囲】
【請求項１】
対向する二面を有する誘電体と、
前記誘電体の一方の面に設けられる所定の面積を有する電極と、
前記誘電体の前記対向する二面を貫通する孔と、
前記孔の両端間を導通させる導通部と、
前記誘電体の他方の面に近接して設けられる導電性弾性部材と
からなることを特徴とする可変容量コンデンサ。
【請求項２】
前記導通部は前記孔に導電ピンを挿入して構成される
ことを特徴とする請求項１記載の可変容量コンデンサ。
【請求項３】
前記導電ピンは、前記誘電体の他方の面側に位置する一方の端部にピンヘッド部を備える、
ことを特徴とする請求項２記載の可変容量コンデンサ。
【請求項４】
前記ピンヘッド部を扁平形状に形成し、
前記誘電体の他方の面側の前記孔の周囲に前記ピンヘッド部の厚さと同じかわずかに深い段差部を設ける
ことを特徴とする請求項３記載の可変容量コンデンサ。
【請求項５】
前記導通部は前記孔の内面に導電層が形成されて構成される
ことを特徴とする請求項１記載の可変容量コンデンサ。
【請求項６】
前記導電性弾性部材は、前記誘電体へ押圧される際に所定の硬度を有する
ことを特徴とする請求項１〜５のいずれか一つに記載の可変容量コンデンサ。
【請求項７】
前記誘電体は偏平な形状をなす
ことを特徴とする請求項１〜６のいずれか一つに記載の可変容量コンデンサ。
【請求項８】
対向する二面を有する誘電体と、
前記誘電体の一方の面に所定の面積を有する電極が設けられ、前記誘電体の一方及び他方の面間を貫通する孔が設けられ、前記孔の両端間を導通させる導通部が設けられ、前記誘電体の他方の面に導電性弾性部材が近接して配置された可変容量コンデンサと、
前記可変容量コンデンサに接続される位置検出用コイル及びコンデンサからなる共振回路と、
前記位置検出用コイルを貫通して設けられる芯体とからなり、
該芯体の一端が前記導電性弾性部材に接続され、他端が位置指示点とされる
ことを特徴とする位置指示器。
【請求項９】
前記導通部は前記孔に導電ピンを挿入して構成する
ことを特徴とする請求項８記載の位置指示器。
【請求項１０】
前記導電ピンは、前記誘電体の他方の面側に位置する一方の端部にピンヘッド部を備える、
ことを特徴とする請求項９記載の位置指示器。
【請求項１１】
前記導電ピンの前記ピンヘッド部を扁平形状に形成し、
前記誘電体の他方の面側の前記孔の周囲に前記ピンヘッド部の厚さと同じかわずかに深い段差部を設ける
ことを特徴とする請求項１０記載の位置指示器。
【請求項１２】
前記導通部は前記孔の内面に導電層が形成されて構成される
ことを特徴とする請求項８記載の位置指示器。
【請求項１３】
前記導電性弾性部材と前記誘電体との接触面積は、前記芯体に掛かる筆圧に応じて変化する
ことを特徴とする請求項８〜１２のいずれか一つに記載の位置指示器。
【請求項１４】
対向する二面を有する誘電体と、
前記誘電体の一方の面に所定の面積を有する電極が設けられ、前記誘電体の一方及び他方の面間を貫通する孔が設けられ、前記孔の両端間を導通させる導通部が設けられ、前記誘電体の他方の面に導電性弾性部材が近接して配置された可変容量コンデンサと、
前記可変容量コンデンサに接続される位置検出用コイルとコンデンサとからなる共振回路と、
前記位置検出用コイルを貫通して設けられる芯体と、該芯体の一端が前記導電性弾性部材に、接続され、
前記芯体の他端が位置指示点とされる位置指示器と、
前記位置指示点において、前記位置検出用コイルからの信号を検知する位置検出器と
からなることを特徴とする位置入力装置。
【請求項１５】
対向する二面を有する誘電体と、
前記誘電体の一方の面に所定の面積を有する電極が設けられ、前記誘電体の一方及び他方の面間を貫通する孔が設けられ、前記孔の両端間を導通させる導通部が設けられ、前記誘電体の他方の面に導電性弾性部材が近接して配置された可変容量コンデンサと、
前記可変容量コンデンサに接続される位置検出用コイルとコンデンサとからなる共振回路と、
前記位置検出用コイルを貫通して設けられる芯体と、該芯体の一端が前記導電性弾性部材に、接続され、
前記芯体の他端が位置指示点とされる位置指示器と、
前記位置指示点において、前記位置検出用コイルからの信号を検知する位置検出器と
を備え、
前記可変容量コンデンサで検出される筆圧信号を、中央処理装置においてデータ信号に変換し、このデータ信号に基づいて、前記共振回路の共振特性を変化させて位置入力を行うことを特徴とするコンピュータシステム。
【手続補正２】
【補正対象書類名】明細書
【補正対象項目名】００１４
【補正方法】変更
【補正の内容】
【００１４】
上記の課題を解決し、本発明の目的を達成するため、本発明の可変容量コンデンサは、対向する二面を有する誘電体と、誘電体の一方の面に設けられる所定の面積を有する電極と、誘電体の他方の面に近接して設けられる導電性弾性部材と、誘電体の対向する二面を貫通する孔と、孔の両端間を導通させる導通部とからなることを特徴とする。
【手続補正３】
【補正対象書類名】明細書
【補正対象項目名】００１５
【補正方法】変更
【補正の内容】
【００１５】
また、本発明の好ましい形態の可変容量コンデンサは、その導通部が孔に導電ピンを挿入して構成され、導電ピンは、誘電体の他方の面側に位置する一方の端部にピンヘッド部を備えるようにしている。また、更に好ましい形態である可変容量コンデンサは、ピンヘッド部を扁平形状に形成し、誘電体の他方の面側の前記孔の周囲に前記ピンヘッド部の厚さと同じかわずかに深い段差部を設けることを特徴としている。
【手続補正４】
【補正対象書類名】明細書
【補正対象項目名】００１６
【補正方法】変更
【補正の内容】
【００１６】
更に、本発明の好ましい形態としての可変容量コンデンサでは、導通部は孔の内面に導電層が形成されて構成され、導電性弾性部材は、誘電体へ押圧される際に所定の硬度を有するようになっている。また、誘電体は偏平形状をなしている。
【手続補正５】
【補正対象書類名】明細書
【補正対象項目名】００１７
【補正方法】変更
【補正の内容】
【００１７】
また、本発明の位置指示器は、対向する二面を有する誘電体と、誘電体の一方の面に所定の面積を有する電極が設けられ、誘電体の一方及び他方の面間を貫通する孔が設けられ、この孔の両端間を導通させる導通部が設けられ、誘電体の他方の面に導電性弾性部材が近接して配置された可変容量コンデンサと、この可変容量コンデンサに接続される位置検出用コイル及びコンデンサからなる共振回路と、位置検出用コイルを貫通して設けられる芯体とから構成されている。そして、この芯体の一端が導電性弾性部材に接続され、他端が位置指示点とされるようになっている。
【手続補正６】
【補正対象書類名】明細書
【補正対象項目名】００１８
【補正方法】変更
【補正の内容】
【００１８】
また、本発明の位置指示器の好ましい形態として、導通部は孔に導電ピンを挿入して構成され、導電ピンは、誘電体の他方の面側に位置する一方の端部にピンヘッド部を備えるようにしている。更に、本発明の位置指示器の好ましい形態では、導電ピンのピンヘッド部が扁平形状に形成され、誘電体の他方の面側の孔の周囲にピンヘッド部の厚さと同じかわずかに深い段差部が設けられている。また、導通部は孔の内面に導電層が形成されて構成されている。また、導電性弾性部材と誘電体との接触面積は、芯体に掛かる筆圧に応じて変化するようになっている。
【手続補正７】
【補正対象書類名】明細書
【補正対象項目名】００１９
【補正方法】変更
【補正の内容】
【００１９】
また、本発明の位置入力装置は、対向する二面を有する誘電体と、誘電体の一方の面に所定の面積を有する電極が設けられるとともに、誘電体の一方及び他方の面間を貫通する孔が設けられる。そして、この孔の両端間を導通させる導通部が設けられ、誘電体の他方の面に導電性弾性部材が近接して配置された可変容量コンデンサを備えている。また、この可変容量コンデンサに接続される位置検出用コイルとコンデンサとからなる共振回路と、位置検出用コイルを貫通して設けられる芯体とを備え、この芯体の一端が導電性弾性部材に接続され、芯体の他端が位置指示点とされる位置指示器を有している。更に、この位置指示点において、位置検出用コイルからの信号を検知する位置検出器を備えている。
【手続補正８】
【補正対象書類名】明細書
【補正対象項目名】００２０
【補正方法】変更
【補正の内容】
【００２０】
また、本発明のコンピュータシステムは、対向する二面を有する誘電体と、誘電体の一方の面に所定の面積を有する電極が設けられ、誘電体の一方及び他方の面間を貫通する孔が設けられ、孔の両端間を導通させる導通部が設けられ、誘電体の他方の面に導電性弾性部材が近接して配置された可変容量コンデンサと、この可変容量コンデンサに接続される位置検出用コイルとコンデンサとからなる共振回路と、位置検出用コイルを貫通して設けられる芯体と、該芯体の一端が前記導電性弾性部材に、接続され、芯体の他端が位置指示点とされる位置指示器を備える。また、この位置指示点において、位置検出用コイルからの信号を検知する位置検出器を備えている。そして、可変容量コンデンサで検出される筆圧信号を、中央処理装置においてデータ信号に変換し、このデータ信号に基づいて、共振回路の共振特性を変化させて位置入力を行うことを特徴としている。
【手続補正９】
【補正対象書類名】明細書
【補正対象項目名】００２１
【補正方法】削除
【補正の内容】